(57)【要約】【課題】外観意匠を損なわず、緊急時の係止解除は容易に行えるとともに、階下からの係止解除は困難にできる折り畳み梯子の展開防止構造を得る。【解決手段】建物に固定される固定柱１３と、この固定柱１３に一端１５ａが回動自在に固定された複数の踏桟１５の他端１５ｂに回動自在に固定され固定柱１３に対して上下方向に平行移動して収納及び展開される可動柱１７と、を備えてなる折り畳み梯子１００の展開防止構造であって、可動柱１７は、収納の位置で固定柱１３に沿って近接するとともに、上端部２７が固定柱１３の上端部２５と同一高さに配置され、同一高さに配置された固定柱１３及び可動柱１７の上端部２５，２７に上方から着脱自在に挿入されて可動柱１７の展開を阻止する係止具を備える。係止具と上端部２５，２７には挿入の方向と直交方向の係止ピン３３にて挿入反対方向の係止具の抜脱を規制する係合手段を設けた。【選択図】      図１
2010024799.tif 000002
【特許請求の範囲】
【請求項１】
建物に固定される固定柱と、該固定柱に一端が回動自在に固定された複数の踏桟の他端に回動自在に固定され前記固定柱に対して上下方向に平行移動して収納及び展開される可動柱と、を備えてなる折り畳み梯子の展開防止構造であって、
前記可動柱は、前記収納の位置で前記固定柱に沿って近接するとともに、上端部が前記固定柱の上端部と同一高さに配置され、
同一高さに配置された該固定柱及び該可動柱の上端部に上方から着脱自在に挿入されて前記可動柱の展開を阻止する係止具を備え、
該係止具と前記上端部には前記挿入の方向と直交方向の係止ピンにて挿入反対方向の前記係止具の抜脱を規制する係合手段が設けられたことを特徴とする折り畳み梯子の展開防止構造。
【請求項２】
前記係合手段が、
前記固定柱及び前記可動柱の上端部から前記挿入の方向と直交方向に突出する前記係止ピンと、
前記係止具に凹設され前記挿入方向に対し傾斜する斜め溝を有して該係止ピンを受け入れる係合溝と、
からなることを特徴とする請求項１記載の折り畳み梯子の展開防止構造。
【請求項３】
前記係合手段が、
前記固定柱及び前記可動柱の上端部に挿入された前記係止具を、前記固定柱及び前記可動柱と共に貫通する前記係止ピンと、
該係止ピンの基端に固設され貫通穴からの抜けを阻止する大径把持部と、
前記係止ピンの先端に螺合されるナット部材と、
からなることを特徴とする請求項１記載の折り畳み梯子の展開防止構造。
【請求項４】
前記係止具の上端面に、手掛け部が設けられたことを特徴とする請求項１又は２又は３記載の折り畳み梯子の展開防止構造。
【請求項５】
前記係止具が、可撓性線体で固定物に締結されて前記上端部に着脱自在となったことを特徴とする請求項１，２，３，４のいずれか１つに記載の折り畳み梯子の展開防止構造。
【発明の詳細な説明】
【技術分野】
【０００１】
本発明は、建物に固定される固定柱と、この固定柱に踏桟を介して上下方向に平行移動して収納及び展開される可動柱とを備えてなる折り畳み梯子の展開防止構造に関する。
【背景技術】
【０００２】
従来より、マンション等の避難用梯子として、建物に固定されて収納・展開自在となった折り畳み梯子が知られている（例えば、特許文献１参照）。この折り畳み梯子は、下枠、上枠、固定縦桟、可動縦桟、及び複数の踏桟とからなり、固定縦桟はその下端部が下枠に固定され且つ上端部が上枠に固定され、踏桟はその一方端が固定縦桟に他方端が可動縦桟に回動自在に固定される。通常時は、固定縦桟と可動縦桟及び踏桟が１本の棒状に折り畳まれた状態にあり、使用時には可動縦桟を押し下げることにより、ワンタッチで梯子に展開できる。開いた状態では下枠、上枠、固定縦桟、可動縦桟とで閉構造をなして剛性が増し、安全に避難することができた。このように折り畳み梯子は、普段は一本棒に見えるので美観に良く、又普段は一本なので、いたずらで昇り降りすることもない。火災時には有効な梯子となり人命を救う（特許文献２参照）。
【特許文献１】特開２００４−４４２４７号公報
【特許文献２】実開昭６３−７３５００号公報
【発明の開示】
【発明が解決しようとする課題】
【０００３】
ところで、折り畳み梯子は、棒状に収納が行え、外観意匠が良好である反面、通常の収納状態にあっても可動縦桟が階下に達しているため、悪意のある侵入者が階下から可動縦桟をガタガタ揺する等の外力を加えると、緊締具の係止が外れて、梯子が使用可能状態に展開され、不法侵入を許してしまう虞があった。その一方で、厳重な係止装置を設ければ、緊急時の係止解除が容易に行えず、安全性の確保が困難となるとともに、装置が大型化すれば、折角の良好な外観を低下させることにもなった。このため、外観意匠性を低下させることなく、緊急時の係止解除は容易に行え、しかも、防犯性は確保することのできる折り畳み梯子の展開防止構造が切望されていた。
【０００４】
本発明は上記状況に鑑みてなされたもので、外観意匠を損なわず、緊急時の係止解除は容易に行えるとともに、階下等からの係止解除は困難にできる折り畳み梯子の展開防止構造を提供し、もって、見栄え、防犯性、緊急対応性の向上を図ることを目的とする。
【課題を解決するための手段】
【０００５】
次に、上記の課題を解決するための手段を、実施の形態に対応する図面を参照して説明する。
本発明の請求項１記載の折り畳み梯子の展開防止構造は、建物１１に固定される固定柱１３と、該固定柱１３に一端１５ａが回動自在に固定された複数の踏桟１５の他端１５ｂに回動自在に固定され前記固定柱１３に対して上下方向に平行移動して収納及び展開される可動柱１７と、を備えてなる折り畳み梯子の展開防止構造であって、
前記可動柱１７は、前記収納の位置で前記固定柱１３に沿って近接するとともに、上端部２７が前記固定柱１３の上端部２５と同一高さに配置され、
同一高さに配置された該固定柱１３及び該可動柱１７の上端部２５，２７に上方から着脱自在に挿入されて前記可動柱１７の展開を阻止する係止具３１を備え、
該係止具３１と前記上端部２５，２７には前記挿入の方向と直交方向の係止ピン３３にて挿入反対方向の前記係止具３１の抜脱を規制する係合手段３５が設けられたことを特徴とする。
【０００６】
この折り畳み梯子１００の展開防止構造では、係止具３１が上方向でなければ引き抜けず、しかも、単に挿入反対方向に抜こうとしても係止ピン３３にて抜脱が阻止され、上階での脱着操作性を低下させることなく、階下からの脱着が困難となる。
【０００７】
請求項２記載の折り畳み梯子の展開防止構造は、前記係合手段３５が、
前記固定柱１３及び前記可動柱１７の上端部２５，２７から前記挿入の方向と直交方向に突出する前記係止ピン３３と、
前記係止具３１に凹設され前記挿入方向に対し傾斜する斜め溝３７を有して該係止ピン３３を受け入れる係合溝３９と、
からなることを特徴とする。
【０００８】
この折り畳み梯子の展開防止構造では、上端部２５，２７に挿入されている係止具３１を引き抜きながら、係止ピン３３が斜め溝３７に沿って移動するように回転させることで、係止具３１が上端部２５．２７から脱着可能となる。
【０００９】
請求項３記載の折り畳み梯子の展開防止構造は、前記係合手段３５が、
前記固定柱１３及び前記可動柱１７の上端部２５，２７に挿入された前記係止具３１Ｂを、前記固定柱１３及び前記可動柱１７と共に貫通する前記係止ピン５３と、
該係止ピン５３の基端に固設され貫通穴６１からの抜けを阻止する大径把持部５５と、
前記係止ピン５３の先端に螺合されるナット部材５９と、
からなることを特徴とする。
【００１０】
この折り畳み梯子の展開防止構造では、ナット部材５９と大径把持部５５を両手で持って螺合解除し、係止ピン５３を挿入の方向と直交方向に抜き取った後に、係止具３１Ｂが上端部から脱着可能となる。
【００１１】
請求項４記載の折り畳み梯子の展開防止構造は、前記係止具３１の上端面４３に、手掛け部４５が設けられたことを特徴とする。
【００１２】
この折り畳み梯子の展開防止構造では、手掛け部４５が上端面４３に配設されていることで、上階からの操作性にのみ寄与し、階下からの操作性、すなわち、把持易さは向上されない。
【００１３】
請求項５記載の折り畳み梯子の展開防止構造は、前記係止具３１が、可撓性線体で固定物に締結されて前記上端部２５，２７に着脱自在となったことを特徴とする。
【００１４】
この折り畳み梯子の展開防止構造では、折り畳み梯子を展開するために、上端部２５，２７から係止具３１が脱着されても、係止具３１が可撓性線体を介して固定物に繋がれて、上端部２５，２７の傍らから離れない。
【発明の効果】
【００１５】
本発明に係る請求項１記載の折り畳み梯子の展開防止構造によれば、同一高さに配置された固定柱及び可動柱の上端部に着脱自在に挿入されて可動柱の展開を阻止する係止具を備え、係止具と上端部には、挿入の方向と直交方向の係止ピンにて挿入反対方向の係止具の抜脱を規制する係合手段を設けたので、係止具が上方向でなければ引き抜けず、しかも、単に挿入反対方向に抜こうとしても係止ピンにて抜脱が阻止され、上階での脱着操作性を低下させることなく、階下からの脱着は困難にできる。これにより、外観意匠を損なわず、緊急時の展開は容易に行えるとともに、階下からの展開は困難にできる。この結果、見栄え、緊急対応性を低下させずに、防犯性を向上させることができる。
【００１６】
請求項２記載の折り畳み梯子の展開防止構造によれば、係合手段が、固定柱及び可動柱の上端部から挿入方向と直交方向に突出する係止ピンと、係止具に凹設され挿入方向に対し傾斜する斜め溝を有して係止ピンを受け入れる係合溝とからなるので、上端部に挿入されている係止具を、引き抜きながら、係止ピンが斜め溝に沿って移動するように回転させることで、係止具の上階での取り外し性を低下させずに、階下からの取り外しを困難にできる。
【００１７】
請求項３記載の折り畳み梯子の展開防止構造によれば、係合手段が、上端部に挿入された係止具を固定柱及び可動柱と共に貫通する係止ピンと、係止ピンの基端に固設され貫通穴からの抜けを阻止する大径把持部と、係止ピンの先端に螺合されるナット部材とからなるので、ナット部材と大径把持部を両手で持って螺合解除し、係止ピンを挿入の方向と直交方向に抜き取った後に、係止具を引き抜き可能とすることで、係止具の上階での取り外し性を低下させずに、階下からの取り外しを困難にできる。
【００１８】
請求項４記載の折り畳み梯子の展開防止構造によれば、係止具の上端面に、手掛け部が設けられたので、階下からの係止具の把持を困難にしつつ、上階での係止具の把持を容易にすることができる。
【００１９】
請求項５記載の折り畳み梯子の展開防止構造によれば、係止具が、可撓性線体で固定物に締結されて上端部に着脱自在となったので、上端部から脱着された係止具の紛失を防止することができる。
【発明を実施するための最良の形態】
【００２０】
以下、本発明に係る折り畳み梯子の展開防止構造の好適な実施の形態を図面を参照して詳細に説明する。
図１は本発明に係る展開防止構造を備えた折り畳み梯子の展開状態を（ａ）、収納状態を（ｂ）で表した上部斜視図、図２は図１に示した折り畳み梯子の収納状態を（ａ）、展開状態を（ｂ）で表した正面図である。
展開防止構造を備える折り畳み梯子１００は、建物、例えばバルコニーの壁部１１に固定される固定柱１３と、この固定柱１３に一端１５ａが回動自在に固定された複数の踏桟１５の他端１５ｂに回動自在に固定され固定柱１３に対して上下方向に平行移動して収納及び展開される可動柱１７とを備える。
【００２１】
固定柱１３及び可動柱１７は、それぞれが円筒を半割にした形状で形成され、収納状態では、図１（ｂ）に示すように、円筒状、外観としては一本の棒状となる。固定柱１３及び可動柱１７の内側湾曲面にはコ字形状のブラケット１９が固設され、ブラケット１９は内側に配置した踏桟１５の一端１５ａ、他端１５ｂを、貫通する回動軸２１にて回動自在に固定する。固定柱１３及び可動柱１７は、同一長さで形成される。固定柱１３は、図２（ａ）に示すように、階下のバルコニー床２３から浮上して配置される。この浮上距離Ｈは、展開時における可動柱１７の下方移動距離Ａと一致する。
【００２２】
したがって、通常時は、図２（ａ）に示すように、固定柱１３と可動柱１７及び踏桟１５が１本の棒状に折り畳まれた状態にあり、使用時には、図２（ｂ）に示すように、可動柱１７を押し下げることにより、簡単に梯子に展開できる。開いた状態では可動柱１７の下端１７ａがバルコニー床２３に接地して支持され、ぐらつくことなく安全に避難することができる。
【００２３】
図３は変形例に係る分割型折り畳み梯子の収納状態を（ａ）、展開状態を（ｂ）で表した正面図である。
なお、折り畳み梯子１００は、図３に示すように、上下に連結される分割構造とすることができる。図例では、固定柱１３及び可動柱１７が、分割固定柱１３Ａ，１３Ｂ，１３Ｃ、分割可動柱１７Ａ，１７Ｂ，１７Ｃのそれぞれ３つに分割されることで、それぞれが踏桟１５によって連結された上中下段の３分割構造となっている。このような分割構造とすることで、折り畳み梯子の運搬性、現場搬入性、設置施工性を向上させることができる。すなわち、この分割可動柱の構造によれば、下段の分割可動柱１７Ｃは、その上側の分割可動柱１７Ｂが展開しないと展開できず、この分割可動柱１７Ｂは、その上側の分割可動柱１７Ａが展開しないと展開できないようになっている。つまり、上方の分割可動柱１７Ａを階下からの展開が困難なようにしておけば、その下方の分割可動柱１７Ｃも分割可動柱１７Ｂも階下からの展開が困難となる。また、分割可動柱１７Ｂは、その下側の分割可動柱１７Ｃが収納しないと収納できず、分割可動柱１７Ａは、その下側の分割可動柱１７Ｂが収納しないと収納できないようになっており、すなわち、正しい収納状態へと自然に導かれるようになっている。
【００２４】
図４は上端部と係止具の分解斜視図である。
可動柱１７は、収納の位置で固定柱１３に沿って近接するとともに、上端部２７が固定柱１３の上端部２５と同一高さに配置される。展開防止構造では、この同一高さに配置された固定柱１３及び可動柱１７の上端部２５，２７に上方から着脱自在に挿入されて可動柱１７の展開を阻止する係止具３１を備える。この係止具３１は、図１（ｂ），図２（ａ），図３（ａ）に示すような折り畳み梯子の収納状態で、収納状態の折り畳み梯子の上端に被せられ展開を阻止し、図２（ｂ），図３（ｂ）のように外されることで、折り畳み梯子の展開を可能にする。係止具３１と上端部２５，２７には、挿入の方向（図４の矢印ａ方向）に対して直交する方向（矢印ｂ方向）の係止ピン３３にて挿入反対方向（図４の矢印ｃ方向）すなわち取り外し方向への係止具３１の抜脱を規制する係合手段３５が設けられている。
【００２５】
係合手段３５は、固定柱１３及び可動柱１７の上端部２５，２７から挿入の方向と直交方向に突出する係止ピン３３と、係止具３１の内面に凹設され挿入方向に対し傾斜する斜め溝３７を有して係止ピン３３を受け入れる係合溝３９とからなる。この展開防止構造では、上端部２５，２７に挿入されている係止具３１を、引き抜きながら、係止ピン３３が斜め溝３７に沿って移動するように回転、本実施の形態では、一方向の回転ではなく、左右方向に振りながら上方へ引き、係合溝３９の形状、すなわち略Ｚ字状に沿って移動させることで、係止具３１の上階４１（図２参照）での取り外し性を低下させずに、階下（バルコニー床２３）からの取り外しを困難にできる。
【００２６】
係止具３１の上端面４３には手掛け部４５が設けられ、手掛け部４５は逆Ｕ字形状に形成されて両下端が上端面４３に固着される。手掛け部４５が上端面４３に配設されていることで、上階４１からの操作性にのみ寄与し、階下からの操作性、すなわち、把持易さは向上されない。これにより、階下からの係止具３１の把持を困難にしつつ、上階４１での係止具３１の把持を容易にして操作性を高めることができる。
【００２７】
図示は省略するが、係止具３１は、可撓性線体（鎖、ボールチェーン、ワイヤ等）で固定物（建物１１の壁面等）に締結されて、上端部２５，２７に着脱自在となることが望ましい。折り畳み梯子１００を展開するために、上端部２５，２７から係止具３１が脱着されても、係止具３１が可撓性線体を介して固定物に繋がれて、上端部２５，２７の傍らから離れない。これにより、上端部２５，２７から脱着された係止具３１の紛失を防止することができる。
【００２８】
このように、上記の展開防止構造では、係止具３１が上方向でなければ引き抜けず、しかも、上端部２５，２７に対して、固定柱１３，可動柱１７の長手方向に真直に係止具３１が嵌合した取り付け状態ではないことで、単に挿入反対方向に抜こうとしても係止ピン３３にて抜脱が阻止され、上階４１での脱着操作性を低下させることなく、階下からの脱着が困難となる。
【００２９】
発明に係る展開防止構造は、上記構造を基本として種々に変形して構成することができる。以下に、上記した展開防止構造の変形例を説明する。なお、各変形例において、図１〜図４に示した部材と同一の部材には同一の符号を付し、重複する説明は省略する。
図５は係止ピンが上端部に設けられた変形例の斜視図である。
この変形例に係る展開防止構造は、上端部２５，２７の内側に係止ピン３３が突設される。また、係止具３１Ａの内方には同軸の軸部５１が垂設され、この軸部５１の外周に、斜め溝３７を有した係合溝３９Ａが形成されている。つまり、係止ピン３３、係合溝３９Ａにて係合手段３５Ａが構成されている。このような構成によれば、係止ピン３３が外方に突出しておらず、固定柱１３及び可動柱１７の湾曲した外形を損なわず、上端部２５，２７を把持した際に、係止ピン３３が差し障ることがない。
【００３０】
図６は貫通係止ピンによる変形例の斜視図である。
この変形例に係る展開防止構造は、係合手段３５Ｂが、係止ピン５３と、ナット部材５９と、貫通穴６１とからなる。係止ピン５３は、固定柱１３及び可動柱１７の上端部２５，２７に挿入された係止具３１Ｂを、固定柱１３及び可動柱１７と共に貫通する。係止具３１Ｂの基端には大径把持部５５が固設され、大径把持部５５は係止ピン５３の貫通穴６１からの抜けを阻止する。ナット部材５９は、係止ピン５３の先端に形成されたネジ部５７に螺合される。
【００３１】
大径把持部５５及びナット部材５９は、係止ピン５３が係止具３１Ｂを貫通した状態で両端に露出し、十分な外径と長さがあり、摘みやすく、また、ローレットなどを表面に形成して、回転操作を行いやすくしている。
【００３２】
この変形例に係る展開防止構造によれば、ナット部材５９と大径把持部５５を両手で持って螺合解除し、係止ピン５３を挿入の方向と直交方向に抜き取った後に、係止具３１Ｂが上端部２５，２７から脱着可能となる。これにより、係止具３１Ｂの上階４１での取り外し性を低下させずに、階下からの取り外しを困難にできる。
【００３３】
図７は係止具に係止ピンが設けられた変形例の斜視図である。
この変形例に係る展開防止構造は、係止具３１Ｃの内面に係止ピン３３が突設され、この係止ピン３３に係合する係合溝３９Ｂが固定柱１３及び可動柱１７の上端部２５，２７に形成されている。つまり、係止ピン３３、係合溝３９Ｂにて係合手段３５Ｃが構成されている。この変形例では、係合溝３９Ｂは、上下一対の平行な縦溝６３，６５とこれらを接続する横溝６７とによりクランク形状に形成されている。
【００３４】
図８は踏桟が梯子左右方向の回動軸で連結される変形例に係る折り畳み梯子の収納状態を（ａ）、展開状態を（ｂ）で表した斜視図である。
展開防止構造の設けられる梯子は、角柱形状の固定柱１３Ｄ、可動柱１７Ｄからなり、固定柱１３Ｄ、可動柱１７Ｄの厚み方向で回動軸２１を介して踏桟１５Ａが連結される構造であってもよい。このような構造の折り畳み梯子１００Ａでは、固定柱１３Ｄ、可動柱１７Ｄ及び踏桟１５Ａを角柱状に収納することができる。この場合、係止具３１Ｄは、挿入反対方向に交差する方向の操作を、脱着前に必要とする例えば図７に示す係合手段３５Ｃと同様の係合手段によって係止する。
【００３５】
したがって、上記折り畳み梯子１００の展開防止構造によれば、同一高さに配置された固定柱１３及び可動柱１７の上端部２５，２７に着脱自在に挿入されて可動柱１７の展開を阻止する係止具３１を備え、係止具３１と上端部２５，２７には、挿入の方向と直交方向の係止ピン３３にて挿入反対方向の係止具３１の抜脱を規制する係合手段３５を設けたので、係止具３１が上方向でなければ引き抜けず、しかも、単に挿入反対方向に抜こうとしても係止ピン３３にて抜脱が阻止され、上階４１での脱着操作性を低下させることなく、階下からの脱着は困難にできる。これにより、外観意匠を損なわず、緊急時の展開は容易に行えるとともに、階下からの展開は困難にできる。この結果、見栄え、緊急対応性を低下させずに、防犯性を向上させることができる。
【００３６】
なお、折り畳み梯子１００は、可動柱１７を収納する際に、凹凸係止構造等により、節度感（クリック感）が生じるように構成してもよい。このような構成によれば、可動柱１７の収納時に、可動柱１７が固定柱１３に沿う状態が保持される。
また、折り畳み梯子１００は、壁面に縦溝を形成し、この縦溝内に設置することで、壁面内に収納されるようにしてもよい。このような構成とすることで、折り畳み梯子１００を、建物の外壁などとの意匠性に合せることが可能となる。
さらに、折り畳み梯子１００は、固定柱１３が、バルコニーの柱を兼ね、例えば、柱内に収納されるような構造としてもよい。
また、折り畳み梯子１００は、固定柱１３が、窓等のシャッターの縦ガイドレール或いはガイドレールを支持する縦枠を兼ねる構造としてもよい。
さらに、上述した各実施の形態において、係合溝３９，３９Ａ，３９Ｂの形状について述べたが、この係合溝の形状は、防犯性と取り外し操作性とを好適に有する形状であれば上記形状の限りではなく、これら防犯性と操作性の優先度合いの要請に応じて他の形状とすることも可能である。
【図面の簡単な説明】
【００３７】
【図１】本発明に係る展開防止構造を備えた折り畳み梯子の展開状態を（ａ）、収納状態を（ｂ）で表した上部斜視図である。
【図２】図１に示した折り畳み梯子の収納状態を（ａ）、展開状態を（ｂ）で表した正面図である。
【図３】変形例に係る分割型折り畳み梯子の収納状態を（ａ）、展開状態を（ｂ）で表した正面図である。
【図４】上端部と係止具の分解斜視図である。
【図５】係止ピンが上端部に設けられた変形例の斜視図である。
【図６】貫通係止ピンによる変形例の斜視図である。
【図７】係止具に係止ピンが設けられた変形例の斜視図である。
【図８】踏桟が梯子左右方向の回動軸で連結される変形例に係る折り畳み梯子の収納状態を（ａ）、展開状態を（ｂ）で表した斜視図である。
【符号の説明】
【００３８】
１１…建物
１３…固定柱
１５…踏桟
１５ａ…一端
１５ｂ…他端
１７…可動柱
２５…固定柱の上端部
２７…可動柱の上端部
３１…係止具
３３…係止ピン
３５…係合手段
３７…斜め溝
３９…係合溝
４３…係止具の上端面
４５…手掛け部
５５…大径把持部
５９…ナット部材
６１…貫通穴
１００…折り畳み梯子
ｂ…挿入の方向と直交方向
ｃ…挿入反対方向
【図１】
2010024799.tif 000003
【図２】
2010024799.tif 000004
【図３】
2010024799.tif 000005
【図４】
2010024799.tif 000006
【図５】
2010024799.tif 000007
【図６】
2010024799.tif 000008
【図７】
2010024799.tif 000009
【図８】
2010024799.tif 000010